(57)【要約】      （修正有）【課題】ＡＤＦモードと原稿台モードを有する画像読取装置において、シェーディング補正を両モードにおいて共通の白色基準部材を用いて行うと補正誤差を生ずるという問題がある。【解決手段】  ＡＤＦモードにおいては、退避位置に移動可能な白色基準部材を用いてシェーディング補正を行い、原稿際モードにおいては、原稿台の端部に設けた白色基準部材を用いてシェーディング補正を行う。【選択図】図１
2005057470.tif 000002
【特許請求の範囲】
【請求項１】
原稿を画像読取位置に搬送し、読取位置を通過させる原稿搬送装置、
原稿が載置される原稿台、
前記読取位置に臨む作動位置と待避位置とに移動可能な第１白色基準部材、
前記原稿台の端部に配置された第２白色基準部材、
原稿及び前記第１、第２白色基準部材を読み取って画像信号を出力する読取手段及び、
前記第１、第２白色基準部材の読取により前記読取手段が出力した画像信号に基づいてシェーディング補正を行うシェーディング補正手段を有することを特徴とする画像読取装置。
【請求項２】
前記第１白色基準部材は、前記読取位置を通過する原稿の形状に類似した形状を有することを特徴とする請求項１に記載の画像読取装置。
【請求項３】
記憶装置を有し、前記第１白色基準部材の読取及び前記第２白色基準部材を読取を行い、得られた白色基準データを前記記憶装置に記憶することを特徴とする請求項１又は請求項２に記載の画像読取装置。
【請求項４】
選択手段を有し、該選択手段は、前記第１白色基準部材の読取により得られた白色基準データ又は前記第２白色基準部材の読取により得られた白色基準データを、前記記憶装置から選択して読み出し、前記シェーディング補正手段に出力することを特徴とする請求項３に記載の画像読取装置。
【発明の詳細な説明】
【技術分野】
【０００１】
本発明は、画像読取装置に関し、特に、画像読取装置において行われるシェーディング補正の技術に関する。
【背景技術】
【０００２】
画像読取装置は一般に、シェーディング補正手段を有する。シェーディング補正手段は、光源の不均一性に対する補正、読取手段の不均一性に対する補正、ｃｏｓ4則で代表される光学系の配光特性に対する補正等各種のノイズに対する補正を行うものである。
【０００３】
シェーディング補正には一般に、白色基準部材が用いられ、該白色基準部材は原稿が載置される原稿台の端部に設けられ、原稿読取手段が前記白色基準部材を読み取ることにより出力した画像信号である白色基準信号を用いてシェーディング補正が行われる。
【０００４】
しかるに、このようなシェーディング補正では、ＡＤＦモードにおける原稿読取条件とは異なる条件で白色基準部材の読取が行われるので、正確なシェーディング補正が行われないという問題がある。
【０００５】
この問題を解決するために、特許文献１では、ＡＤＦモードにおける読取条件、すなわち、原稿を案内するマイラーシートを透過した光を受光して読み取る条件でシェーディング補正を行うために、マイラーシートを介して読み取ることが出来る白色基準部材を設けることが提案されている。
【特許文献１】特開平２−１２１４７１号公報
【発明の開示】
【発明が解決しようとする課題】
【０００６】
特許文献１に開示されているシェーディング補正手段では、原稿を案内するマイラーにキズや汚れがついた場合に、補正誤差が出るという問題があるり、特許文献１ではこのような補正誤差を１ライン分のデータに限定してシェーディング補正に用いるという対策を採っている。
【０００７】
しかしながら、読取位置においてマイラーシートを用いて原稿を案内する方式は、元来、マイラーシートがキズや汚れによる影響を受けるという問題を有しているために、特許文献１の対策には限界があり、補正誤差を無くすることが困難である。
【０００８】
本発明は、原稿台モードとＡＤＦモードにおけるシェーディング補正の誤差を十分に補正することが出来るシェーディング補正手段を持った画像読読取装置を提供することを目的とし、特許文献１における問題の解決された画像読取装置を提供することを目的とする。
【課題を解決するための手段】
【０００９】
前記目的は、下記の発明により達成される。
【００１０】
１．原稿を画像読取位置に搬送し、読取位置を通過させる原稿搬送装置、
原稿が載置される原稿台、
前記読取位置に臨む作動位置と待避位置とに移動可能な第１白色基準部材、
前記原稿台の端部に配置された第２白色基準部材、
原稿及び前記第１、第２白色基準部材を読み取って画像信号を出力する読取手段及び、
前記第１、第２白色基準部材の読取により前記読取手段が出力した画像信号に基づいてシェーディング補正を行うシェーディング補正手段を有することを特徴とする画像読取装置。
【００１１】
２．前記第１白色基準部材は、前記読取位置を通過する原稿の形状に類似した形状を有することを特徴とする前記１に記載の画像読取装置。
【００１２】
３．記憶装置を有し、前記第１白色基準部材の読取及び前記第２白色基準部材を読取を行い、得られた白色基準データを前記記憶装置に記憶することを特徴とする前記１又は前記２に記載の画像読取装置。
【００１３】
４．選択手段を有し、該選択手段は、前記第１白色基準部材の読取により得られた白色基準データ又は前記第２白色基準部材の読取により得られた白色基準データを、前記記憶装置から選択して読み出し、前記シェーディング補正手段に出力することを特徴とする前記３に記載の画像読取装置。
【発明の効果】
【００１４】
ＤＦモードと原稿台モードでは同一の露光読取手段を用いても、露光条件が異なるために、共通の白色基準部材を用いたシェーディング補正を行った場合に、補正誤差を出て画質の変動や低下を起こすと言う問題がある。また、ＤＦモード用に白色基準部材を用い、透明な原稿案内部材を用いる方法では、透明案内部材が原稿搬送により、汚れやキズを受けて変化し、シェーディング補正誤差が出ると言う問題がある。
【００１５】
請求項１〜４のいずれか１項に記載の発明により、このようなシェーディング補正上の問題が解決され、ＤＦモードにおけるシェーディング補正及び原稿台モードにおけるシェーディング補正が適正、且つ正確に行われるようになり、高画質の画像形成を可能にする画像データが得られる。
【発明を実施するための最良の形態】
【００１６】
＜画像読取装置＞
図１は本発明の実施の形態に係る画像読取装置における自動原稿搬送装置の断面図である。
【００１７】
原稿搬送装置ＤＦは片面読取モードと両面読取モードを有する。
【００１８】
片面読取は次のように行われる。原稿給紙皿１に載置された原稿Ｄは送り出しローラ２により上から順に送り出され、分離ローラ３により１枚に分離される。分離された原稿Ｄはレジストローラ４により、タイミング制御されて搬送され、プラテンローラ７の周囲をローラ５、６により規制されて搬送され、スリットガラス２０により形成される読取位置Ｒを通過して、読取手段により読み取られる。
【００１９】
読取位置Ｒを通過した原稿Ｄは、実線の位置にある案内部材１４により、プラテンローラ７に沿うように案内され、ローラ８、９で規制されて搬送された後に、実線の位置にある案内部材１６により排紙ローラ１１へと搬送され、排紙ローラ１１により搬送されて、排紙皿１３に排紙される。
【００２０】
両面読取は次のように行われる。
【００２１】
片面モードと同様な搬送工程により読取位置Ｒを通過した原稿Ｄは、点線の位置に設定されて案内部材１４により案内されて反転ローラ１０へと搬送される。
【００２２】
反転ローラ１０は原稿Ｄの後端が反転ローラ１０にニップされた状態で搬送方向を反転し、反転搬送を行う。反転した反転ローラ１０により搬送される原稿Ｄは、反転搬送される原稿Ｄのみを案内する案内部材１５によりプラテンローラ７へと搬送され、ローラ９、５、６及びプラテンローラ７によりプラテンローラ７の周囲を搬送され、読取位置Ｒを通過する。読取位置Ｒにおいて、原稿の裏面読取が行われる。なお、この搬送工程において、案内部材１６は点線の位置に設定されている。
【００２３】
読取位置Ｒを通過した原稿Ｄは、前記と同様に反転ローラ１０へと搬送され、反転ローラ１０により反転搬送され、プラテンローラ７を周回して、読取位置を通過する。この最後の反転搬送は、排紙皿１３に排紙される原稿の頁順を揃えるための搬送工程であり、該搬送工程では原稿読取は行われない。
【００２４】
読取位置Ｒを通過した原稿Ｄは、実線の位置に設定された案内部材１４、１６により排紙ローラ１１へと搬送され、排紙皿１３に排紙される。
【００２５】
図２は本発明の実施の形態に係る画像読取装置の全体図である。
【００２６】
図１に示し、前記に説明した自動原稿搬送装置ＤＦは画像読取部ＳＫの上に結合される。
【００２７】
画像読取部ＳＫは、原稿を照明する光源３０、原稿からの反射光を導くミラー３１、３２、３３、結像レンズ３４、ラインＣＣＤからなり、読取手段としての撮像素子３５及び原稿が載置される透明ガラス板からなる原稿台３６を有する。
【００２８】
自動原稿搬送装置ＤＦで原稿を搬送して画像読取を行う読取モードにおいては、光源３０及びミラー３１〜３３は図示のホームポジションに設定され、搬送される原稿を読取位置Ｒ（図１に示す）において読み取る。
【００２９】
原稿台３６に載置された原稿を読み取るモードにおいては、光源３０及びミラー３１がユニットＵ１として一体に原稿台３６に沿って移動するとともに、ミラー３２及び３３がユニットＵ２としてユニットＵ１の２分の１の速度で移動して原稿台３６上の原稿を走査し、読取を行う。
【００３０】
以下において、自動原稿搬送装置ＤＦで原稿を搬送し、読取位置Ｒにおいて、原稿読取を行うモードをＤＦモードと言い、原稿台３６に載置された原稿を読み取るモードを原稿台モードという。
＜シェーディング補正＞
シェーディング補正は、白色基準部材４０又は白色基準部材４１を読み取って作成されたシェーディング補正データである白色基準データを用いて行われ、原稿読取に先立って実行される。白色基準部材４０は、読取位置Ｒを通過する原稿の形状に類似した形状に作成される。すなわち、読位置Ｒを通過する原稿は、案内部材２１（図１に示す）に案内されて湾曲した形状で読取位置Ｒを通過する。白色基準板４０をこのような原稿の湾曲形状に類似した湾曲形状に作成される。すなわち、原稿Ｄの形状に合わせた金属板等に支持部材に白色紙を接着し、白色紙の上に透明保護シートを接着することにより作成される。白色基準部材４０は支持部材４２により支持され、可動であり、実線の作動位置と点線で示す退避位置４０Ａとに設定可能である。
【００３１】
白色基準部材４１は従来から用いられているものであり、原稿台３６の端部に固定設置される。
【００３２】
ＤＦモードの画像読取を複数枚の原稿について行うジョブにおいては、最初の原稿の読取に先立って、白色基準データを作成し、全原稿について最初に作成した白色基準データがシェーディング補正に用いられる。
【００３３】
また、他のシェーディング補正方法として、画像読取装置の電源投入時に白色基準データの作成を行って、作成した補正データを電源がオフされるまで使用するという方法を採ることもできる。
【００３４】
図３はシェーディング補正及び画像読取を行う回路のブロック図である。
【００３５】
撮像素子３５の出力である画像信号はアンプ５０で増幅され、Ａ／Ｄ変換器５１でデジタル変換され、シェーディング補正手段としてのシェーディング補正回路５２でシェーディング補正され、画像処理回路５３で濃度調整、階調調整等の画像処理及び多値化処理される。多値化処理されて作成されたデジタル画像データは、駆動回路５４でレーザ、ＬＥＤ等からなる露光光源５５を駆動する駆動信号に変換され、露光光源５５を駆動する。露光光源５５は感光体を露光して画像を形成する。
【００３６】
白色基準データの作成は、前記に説明したように、ジョブの実行に先立って実行されるか、又は電源オン時に実行される。シェーディング補正は、原稿を読み取って取得した画像信号に対して、白色基準データを用いて補正を行う処理である。
【００３７】
本実施の形態の例においては、白色基準部材４０及び４１を読み取って二つの白色基準データが作成される。
【００３８】
作成された二つの白色基準データは記憶装置５２Ａ、５２Ｂに記憶される。
【００３９】
記憶装置５２Ａには、白色基準部材４０を読み取って得た白色基準データが記憶され、記憶装置５２Ｂには、白色基準部材４１を読み取って得た白色基準データが記憶される。記憶装置５２Ａと５２Ｂは１個のメモリ内に設けられ、ファイルナンバー等を用いて使い分ける記憶装置とすることが望ましい。
【００４０】
選択手段５２Ｃは、記憶装置５２Ａ又は５２Ｂに記憶されているデータを選択するものであり、ＤＦモードにおいては、記憶装置５２Ａに記憶されている白色基準データをシェーディング補正回路に出力し、原稿台モードにおいては、記憶装置５２Ｂに記憶されている白色基準データをシェーディング補正回路５２に出力する。
【００４１】
このようにして、ＤＦモードにおいては、白色基準部材４０を用いたシェーディング補正が行われ、原稿台モードにおいては、白色基準部材４１を用いたシェーディング補正が行われる。
【００４２】
図４は以上説明したシェーディング補正を伴った読取工程を実行する制御のフローチャートであり、ジョブの先頭に置いてシェーディング補正用データの作成を行う例における制御を示す。従って、図４のルーチンには、ジョブの実行命令、例えば、複写ボタンの操作により入る。
【００４３】
ステップＳ１において、白色基準部材４０を駆動して図１における点線の退避位置４０Ａから実線の作動位置に設定する。次に、ステップＳ２において、光学系の駆動が行われる。すなわち、光源３０を点灯し、ユニットＵ１、Ｕ２を白色基準部材４１を読み取る位置まで移動させる。この移動の過程で、白色基準部材４０、４１の読取が行われる（Ｓ３）。
ステップＳ３の読取により得られた白色基準データを記憶装置５２Ａ、５２Ｂに記憶させる（Ｓ４）。読取終了後に、白色基準部材４０を退避位置４０Ａに移動させる（Ｓ５）。
【００４４】
ＤＦモードの場合は（Ｓ６のｙｅｓ）、光学系をホームポジションに戻し（Ｓ７）、原稿読取が行われる（Ｓ８）。
ステップＳ８の原稿読取では、自動原稿搬送装置ＤＦ（図２参照）により原稿を搬送して、次々に原稿を読取位置を通過させて読取が行われるが、読取により撮像素子３５が生成した画像信号に対しては、記憶装置５２Ａに記憶されている白色基準データを用いたシェーディング補正が施される。
【００４５】
原稿台モードでは（ステップＳ６のｎｏ）、光学系を更に駆動して、ユニットＵ１、Ｕ２を原稿台３６に沿って移動させることにより、原稿読取が行われる（Ｓ９、Ｓ１０）。
【００４６】
ステップＳ１０における原稿読取においては、記憶装置５２Ｂに記憶されている白色基準データを用いたシェーディング補正が行われる。
【図面の簡単な説明】
【００４７】
【図１】本発明の実施の形態に係る画像読取装置における自動原稿搬送装置の断面図である。
【図２】本発明の実施の形態に係る画像読取装置の全体図である。
【図３】シェーディング補正及び画像読取を行う回路のブロック図である。
【図４】シェーディング補正を伴った読取工程を実行する制御のフローチャートである。
【符号の説明】
【００４８】
３６  原稿台
４０、４１  白色基準部材
３５  撮像素子
４０Ａ  退避位置
５２  シェーディング補正回路
【図１】
2005057470.tif 000003
【図２】
2005057470.tif 000004
【図３】
2005057470.tif 000005
【図４】
2005057470.tif 000006